(57)【特許請求の範囲】
【請求項１】
電磁環境をシミュレートするシステムであって、
複数のプローブのネットワークであって、前記複数のプローブは、試験位置に置かれた少なくとも１つの試験アンテナを試験するために、電磁放射を前記プローブから離れた前記試験位置へ放射し、又は前記試験位置から受信し、又は放射及び受信する、ネットワーク、
前記プローブをチャネルエミュレータに接続する複数のチャネル、
第１の信号放射ユニット、
第２の信号受信ユニット、
を有し、前記第１及び第２のユニットの一方は、前記チャネルエミュレータに接続され、
第１の測定位置と前記チャネルを較正する第２の位置とを有する切り替え装置により特徴付けられ、前記第１の測定位置では、前記切り替え装置は、前記エミュレータをそれぞれ前記プローブの少なくとも１つに少なくとも１つの関連する前記チャネルを介して接続し、前記第１及び第２のユニットの他方を前記試験アンテナに接続し、前記第２の位置では、前記切り替え装置は、前記エミュレータを前記第１及び第２のユニットの前記他方に前記少なくとも１つの関連するチャネルを介して、前記プローブのネットワークを通過することなく接続し、前記第２の位置は前記第１の位置と異なる、システム。
【請求項２】
前記チャネルエミュレータは、前記第１の信号放射ユニットに接続され、前記第１の測定位置にある前記切り替え装置は、前記エミュレータをそれぞれ前記プローブの少なくとも１つに前記少なくとも１つの関連するチャネルを介して接続し、前記第２の信号受信ユニットを前記試験アンテナに接続し、前記チャネルを較正する前記第２の位置にある前記切り替え装置は、前記エミュレータを前記第２の信号受信ユニットに前記少なくとも１つの関連するチャネルを介して、前記プローブのネットワークを通過することなく接続する、請求項１に記載のシステム。
【請求項３】
前記チャネルエミュレータは、前記第２の信号受信ユニットに接続され、前記第１の測定位置にある前記切り替え装置は、前記エミュレータをそれぞれ前記プローブの少なくとも１つに前記少なくとも１つの関連するチャネルを介して接続し、前記第１の信号放射ユニットを前記試験アンテナに接続し、前記チャネルを較正する前記第２の位置にある前記切り替え装置は、前記エミュレータを前記第１の放射ユニットに前記少なくとも１つの関連するチャネルを介して、前記プローブのネットワークを通過することなく接続する、請求項１に記載のシステム。
【請求項４】
前記第１の測定位置にある前記切り替え装置は、前記エミュレータの複数のアクセスをそれぞれ前記複数のプローブに複数の前記関連するチャネルを介して接続し、前記第１及び第２のユニットの他方を前記試験アンテナに接続し、前記チャネルを較正する前記第２の位置にある前記切り替え装置は、前記エミュレータの複数のアクセスを前記第１及び第２のユニットの他方に前記複数の関連するチャネルを介して、前記プローブのネットワークを通過することなく接続し、前記第２の位置は前記第１の位置と異なる、請求項１乃至３のいずれか一項に記載のシステム。
【請求項５】
前記チャネルエミュレータは、各関連するプローブの信号の周波数、位相、振幅及び極性のうちの少なくとも１つのパラメータをチャネル毎に独立に変化させる制御可能な変換手段を有する、請求項１乃至４のいずれか一項に記載のシステム。
【請求項６】
前記システムは、前記第１及び第２の位置の両方の間を通し前記第１及び第２の位置のいずれかに維持する前記切り替え装置を制御する手段を有する、請求項１乃至５のいずれか一項に記載のシステム。
【請求項７】
前記切り替え装置は、前記接続を保証する前記位置を有するスイッチ等を含む、請求項１乃至６のいずれか一項に記載のシステム。
【請求項８】
前記システムは、前記少なくとも１つのチャネルにより伝達される信号を、共にそれぞれ互いに直交する第１及び第２の極性を有する２つの第１及び第２の経路に分割するために、互いに直交する２つの第１及び第２の極性を生成するユニットを有し、両ルートは、前記関連するプローブに接続され、前記２つの第１及び第２の経路のそれぞれを振幅及び位相で重み付けするために重み付け手段が設けられる、請求項１乃至７のいずれか一項に記載のシステム。
【請求項９】
前記試験アンテナは、前記第１及び第２のユニットの他方に、少なくとも１つのケーブルを介したワイヤを通じて接続される、請求項１乃至８のいずれか一項に記載のシステム。
【請求項１０】
前記試験アンテナは、前記第１及び第２のユニットの他方に、オンボード放射体及び／又は受信機により少なくとも１つの無線リンクを介して無線で接続される、請求項１乃至８のいずれか一項に記載のシステム。
【請求項１１】
前記切り替え装置は、前記チャネルエミュレータと前記プローブのネットワークとの間に置かれる、請求項１乃至１０のいずれか一項に記載のシステム。
【請求項１２】
請求項１乃至１１のいずれか一項に記載のシステムにより電磁環境をシミュレートする方法であって、前記システムは、複数のプローブのネットワークであって、前記複数のプローブは、試験位置に置かれた少なくとも１つの試験アンテナを試験するために、電磁放射を前記プローブから離れた前記試験位置へ放射し、又は前記試験位置から受信し、又は放射及び受信する、ネットワーク、前記プローブをチャネルエミュレータに接続する複数のチャネル、第１の信号放射ユニット、第２の信号受信ユニット、を有し、前記第１及び第２のユニットの一方は、前記チャネルエミュレータに接続され、
前記切り替え装置は、前記チャネルを較正する第２の位置に置かれ、前記第２の位置では、前記切り替え装置は、前記エミュレータを前記第１及び第２のユニットの他方に前記少なくとも１つの関連するチャネルを介して、前記プローブのネットワークを通過することなく接続し、
前記チャネルを較正する第２の位置では、前記プローブのネットワークを通過せずに、前記チャネルエミュレータを通過する間に、複合伝送係数の値が、前記第１の信号放射ユニットと前記第２の信号受信ユニットとの間の各チャネルについて得られ、
前記切り替え装置は、次に第１の測定位置に置かれ、前記第１の測定位置では、前記切り替え装置は、前記エミュレータをそれぞれ前記プローブの少なくとも１つに前記少なくとも１つの関連するチャネルを介して接続し、前記第１及び第２のユニットの前記他方を前記試験アンテナに接続し、
前記試験アンテナは、少なくとも１つの信号を前記第１の信号放射ユニットから前記第２の信号受信ユニットへ、前記少なくとも１つのプローブを通る前記少なくとも１つのチャネルを介して送ることにより、及び少なくとも前記少なくとも１つのチャネルの前記複合伝送係数から得られた値に従って計算された補正を前記信号に適用することにより、前記第１の測定位置で試験される、方法。
【請求項１３】
前記補正は、少なくとも前記少なくとも１つのチャネルの前記複合伝送係数から得られた値に従って、及び事前に前記装置で測定された送信パラメータに更に従って計算される、請求項１２に記載の方法。
【発明の詳細な説明】
【技術分野】
【０００１】
本発明は、試験領域に置かれた試験用オブジェクトを試験するために、該試験領域に向けて電磁放射を放射するプローブの少なくとも１つのネットワークを含む電磁環境を生成するシステムに関する。試験用オブジェクトは、少なくとも１つのアンテナを有する。放射プローブのネットワークの構成は、受信プローブのネットワークの構成に置き換えられることができる。
【背景技術】
【０００２】
電磁環境を生成するシステムの応用分野は、個々に又は同時にアクセスできる１又は複数のアンテナを含む種々の試験用オブジェクトの試験である。ここで、該アンテナは、１又は複数の内蔵受信機又は放射体に接続されてもされなくてもよい。これらの試験用オブジェクトは、例えば、１又は複数のオンボード受信機と関連付けられた、携帯電話機、所謂「無線」機器又は民生機器用、航空機器用若しくは軍事機器用の任意の他のアンテナ装置であり得る。例えば、当業者に知られたある種の試験は、複数の入力及び複数の出力を備えた所謂「ＭＩＭＯ（Multiple  Input  Multiple  Output）」機器の特性に関する。
【０００３】
したがって、試験用オブジェクトに、例えば試験領域のあちこちに角度を付けて分布したプローブからの種々の電磁放射を受けさせることにより、該試験用オブジェクトを試験する可能性が求められている。
【発明の概要】
【課題を解決するための手段】
【０００４】
少なくとも１つの信号生成器が、１又は複数の無線周波数信号（ＲＦ信号）を生成するために設けられる。信号生成器は、例えば、ＲＦ信号を離散周波数で生成するネットワークアナライザ若しくは周波数合成器、通信プロトコルに従って変調ＲＦ信号を生成する無線通信テスタ、又は任意の他のＲＦ信号源であってもよい。少なくとも１つの信号受信機が、１又は複数の無線周波数信号を受信するために設けられる。信号受信機は、ネットワークアナライザ又は無線通信テスタ等が生成器から離れて位置するような場合、周波数合成器と関連付けられた受信機のような場合、信号生成器に統合されてもよい。受信機を有すると、例えば送信又は通信品質の点で試験用オブジェクトを評価できるように、試験用オブジェクトの応答を収集できる。
【０００５】
チャネルエミュレータは、１又は複数のチャネルを通じて信号生成器から来る無線周波数信号を多重化及び変換できるようにするために用いられる。各チャネルの信号は、該信号を試験領域に向けて放射するプローブへ、実施（conducted）モードで送信される。チャネルエミュレータを有するので、例えば、チャネル毎に独立に、プローブにより放射される信号の位相、振幅、周波数及びグループ時間を変えることができる。プローブは、単一円形極性、線形極性又は２直交極性を有してもよい。各プローブの極性で個々に、及び必要な場合には他のプローブの他の極性と異なる方法で、信号を送信するために、各プローブの極性は、放射される信号を受信するチャネルと関連付けられてもよい。
【０００６】
ＲＦ信号生成器及び受信機、チャネルエミュレータ及びプローブネットワークを有する試験システムは、試験用オブジェクトが試験外の実際の環境における通常使用中に直面する電磁環境を生成するために用いることができる。このような装置は、例えば文献ＵＳ−Ａ−２００８／００５６３４０から分かる。
【０００７】
通常、電磁シナリオを生成するシステムを構成するために、事前に知られた応答を有し且つ試験領域の中央にアンテナとして置かれた異なるダイポールが用いられることが知られている。
【０００８】
このようなダイポールは、狭い周波数帯を有するという欠点を有する。これは、較正を行うために多数のダイポールが必要である。さらに、このようなダイポールは、単一の極性を有するという欠点を有する。これは、双極プローブのネットワークを備えたシステムの場合には、周波数帯毎に、試験領域の中央に異なる極性の２個のダイポールを使用する必要がある。
【０００９】
これにより、試験領域の中央に置かれた、知られているダイポールで実施された測定により、ダイポールの応答を所定の設定された信号に整合させるために、各チャネルの特性が補正される。この補正は、信号生成器からダイポールまでのグループ時間、振幅及び位相応答の点で、各チャネルの応答を均一化させるという主目的を有する。また、当業者は、例えば、ダイポールの代わりに磁気ループ又はスロットを備えたアンテナ種類のアンテナを使用できることも知られている。しかし、後者は、ダイポールの欠点と同様の欠点を有する。
【００１０】
したがって、この較正は、長期にわたり、複雑で、骨の折れるものであり且つ適用が困難である。
【００１１】
ダイポールを用いたこの較正技術の他の主要な欠点は、実際のプローブネットワークの較正がないことである。実際に、ダイポールを用いた較正技術は、チャネルエミュレータを介した信号生成器とダイポールまでのプローブネットワークとの間の送信経路の均一化に主に対応する。これは、例えばプローブの各極性の無線電気軸を均一化させるプローブネットワークの較正自体に対応せず、このプローブの各極性の無線電気軸を均一化せずにプローブネットワークによる品質測定を保証することはできない。
【００１２】
最後に、ダイポールを用いたこの較正技術の別の主要な欠点は、適用される較正の本質的な不安定性である。実際に、この方法で較正されると、電磁シナリオを生成するシステムは、長期に渡り安定した応答を有さず、プローブにより放射された電磁波に関して望ましい動作特性について、異なる試験用オブジェクトで実施された測定の正当性が疑われる。これは、主に、チャネルエミュレータ及び実際のチャネルが、アクティブなマイクロ波周波数要素を有し、例えばその応答が時間と共に及び温度に従って変化するという事実に起因する。これは、試験用オブジェクトの応答を測定した１日の間の変動により表される。つまり、第１の試験用オブジェクトで第１の信号から１日の第１の時間に実行された試験は、後の第１の応答を与え、同じ第１の試験用オブジェクトに同じ第１の信号から１日の第２の時間に実行した同じ試験は、第１の応答と異なる予測できない第２の応答を与え得る。したがって、ダイポールを用いた較正が１日の内に頻繁に繰り返される場合を除いて、試験は再現可能ではない。この頻繁な繰り返しは、測定レートの点で大いに不利である。これは、特定のチャネルエミュレータがそれぞれの開始時に較正を必要とするという事実により更に悪化する。
【００１３】
本発明は、各チャネルのための簡易且つ自動的な較正を得ることを目的とする。この各チャネルの較正は、実際のプローブネットワークの較正とは独立であり、この各チャネルの較正により、上述の欠点が克服できる。
【００１４】
この目的のために、本発明の第１の主題は、電磁環境をシミュレートするシステムであって、
複数プローブ（Ｓｉ）のネットワーク（２００）であって、試験位置に置かれた少なくとも１つの試験アンテナ（３００）を試験するために、電磁放射を前記プローブ（Ｓｉ）から離れた前記試験位置へ放射する及び／又は前記試験位置から受信する、ネットワーク、
−前記プローブをチャネルエミュレータ（６００）に接続する複数のチャネル（Ｃ）、
−第１の信号放射ユニット（４００）、
−第２の信号受信ユニット（４１０）、
を有し、前記第１及び第２のユニット（４００、４１０）の一方は、前記チャネルエミュレータ（６００）に接続され、
第１の測定位置と前記チャネル（Ｃ）を較正する第２の位置とを有する切り替え装置（１００）により特徴付けられ、前記第１の測定位置では、前記切り替え装置（１００）は、前記エミュレータ（６００）を前記プローブの少なくとも１つ（Ｓｉ）にそれぞれ少なくとも１つの関連する前記チャネル（Ｃ）を介して接続し、前記第１及び第２のユニット（４１０、４００）の他方を前記試験アンテナ（３００）に接続し、前記第２の位置では、前記切り替え装置（１００）は、前記エミュレータ（６００）を前記第１及び第２のユニット（４１０、４００）の他方に前記少なくとも１つの関連するチャネル（Ｃ）を介して、前記プローブ（Ｓｉ）のネットワーク（２００）を通過することなく、接続し、前記第２の位置は前記第１の位置と異なる。
【００１５】
本発明の一実施形態によると、前記チャネルエミュレータ（６００）は、前記第１の信号放射ユニット（４００）に接続され、前記第１の測定位置にある前記切り替え装置（１００）は、前記エミュレータ（６００）をそれぞれ前記プローブの少なくとも１つ（Ｓｉ）に前記少なくとも１つの関連するチャネル（Ｃ）を介して接続し、前記第２の信号受信ユニット（４１０）を前記試験アンテナ（３００）を介して接続し、前記チャネル（Ｃ）を較正する前記第２の位置にある前記切り替え装置（１００）は、前記エミュレータ（６００）を前記第２の信号受信ユニット（４１０）に前記少なくとも１つの関連するチャネル（Ｃ）を介して、前記プローブ（Ｓｉ）のネットワーク（２００）を通過することなく接続する。
【００１６】
本発明の一実施形態によると、前記チャネルエミュレータ（６００）は、前記第２の信号受信ユニット（４１０）に接続され、前記第１の測定位置にある前記切り替え装置（１００）は、前記エミュレータ（６００）をそれぞれ前記プローブの少なくとも１つ（Ｓｉ）に前記少なくとも１つの関連するチャネル（Ｃ）を介して接続し、前記第１の信号放射ユニット（４００）を前記試験アンテナ（３００）に接続し、前記チャネル（Ｃ）を較正する前記第２の位置にある前記切り替え装置（１００）は、前記エミュレータ（６００）を前記第１の放射ユニット（４００）に前記少なくとも１つの関連するチャネル（Ｃ）を介して、前記プローブ（Ｓｉ）のネットワーク（２００）を通過することなく接続する。
【００１７】
本発明の一実施形態によると、前記第１の測定位置にある前記切り替え装置（１００）は、前記エミュレータ（６００）の複数のアクセス（Ａ）をそれぞれ前記複数のプローブ（Ｓｉ）に複数の前記関連するチャネル（Ｃ）を介して接続し、前記第１及び第２のユニット（４１０、４００）の他方を前記試験アンテナ（３００）に接続し、前記チャネル（Ｃ）を較正する前記第２の位置にある前記切り替え装置（１００）は、前記エミュレータ（６００）の複数のアクセス（Ａ）を前記第１及び第２のユニット（４１０、４００）の他方に前記複数の関連するチャネル（Ｃ）を介して、前記プローブ（Ｓｉ）のネットワーク（２００）を通過することなく接続し、前記第２の位置は前記第１の位置と異なる。
【００１８】
本発明の一実施形態によると、前記チャネルエミュレータ６００は、各関連するプローブ（Ｓｉ）の信号の周波数、位相、振幅及び極性のうちの少なくとも１つのパラメータをチャネル（Ｃ）毎に独立に変化させる制御可能な変換手段（Ｔ）を有する。
【００１９】
本発明の一実施形態によると、前記システムは、前記第１及び第２の位置の両方の間を通し前記第１及び第２の位置のいずれかに維持する前記切り替え装置（１００）を制御する手段（１１６、１２２、１３５）を有する。
【００２０】
本発明の一実施形態によると、前記切り替え装置（１００）は、前記接続を保証する前記位置を有するスイッチ等（１１、１３）を含む。
【００２１】
本発明の一実施形態によると、前記システムは、前記少なくとも１つのチャネル（Ｃ）により伝達される信号を、共にそれぞれ互いに直交する第１及び第２の極性を有する２つの第１及び第２の経路（７１０）に分割するために、互いに直交する２つの第１及び第２の極性を生成するユニット（７００）を有し、両ルートは、前記関連するプローブ（Ｓｉ）に接続され、前記２つの第１及び第２の経路（７１０）のそれぞれを振幅及び位相で重み付けするために重み付け手段が設けられる。
【００２２】
本発明の一実施形態によると、前記試験アンテナ（３００）は、前記第１及び第２のユニット（４１０、４００）の他方に、少なくとも１つのケーブル（３３０）を介したワイヤを通じて接続される。
【００２３】
本発明の一実施形態によると、前記試験アンテナ（３００）は、前記第１及び第２のユニット（４１０、４００）の他方に、オンボード放射体及び／又は受信機（３２０）により少なくとも１つの無線リンクを介して無線で接続される。この場合、受信／放射は、試験用オブジェクトで行われ、無線（radio  frequency：ＲＦ）リンクは、有用な値を回収するためにのみ用いられる。
【００２４】
本発明の一実施形態によると、前記切り替え装置（１００）は、前記チャネルエミュレータ（６００）と前記プローブ（Ｓｉ）のネットワーク（２００）との間に置かれる。
【００２５】
本発明の別の主題は、上述のようなシステム（１）により電磁環境をシミュレートする方法であって、当該システムは、複数のプローブ（Ｓｉ）のネットワーク（２００）であって、前記複数のプローブは、試験位置に置かれた少なくとも１つの試験アンテナ（３００）を試験するために、電磁放射を前記プローブ（Ｓｉ）から離れた前記試験位置へ放射及び／又は前記試験位置から受信する、ネットワーク（２００）、前記プローブをチャネルエミュレータ（６００）に接続する複数のチャネル（Ｃ）、第１の信号放射ユニット（４００）、第２の信号受信ユニット（４１０）を有し、前記ユニット（４００、４１０）の一方は前記エミュレータ（６００）に接続され、
−前記切り替え装置（１００）は、前記チャネル（Ｃ）を較正する第２の位置に置かれ、前記第２の位置では、前記切り替え装置（１００）は、前記エミュレータ（６００）を前記第１及び第２のユニット（４１０、４００）の他方に前記少なくとも１つの関連するチャネル（Ｃ）を介して、前記プローブ（Ｓｉ）のネットワーク（２００）を通過することなく接続し、
−前記チャネル（Ｃ）を較正する第２の位置では、前記プローブ（Ｓｉ）のネットワーク（２００）を通過せずに、前記チャネルエミュレータ（６００）を通過する間に、複合伝送係数の値が、前記第１の信号放射ユニット（４００）と前記第２の信号受信ユニット（４１０）との間の各チャネル（Ｃ）について得られ、
−前記切り替え装置（１００）は、次に第１の測定位置に置かれ、前記第１の測定位置では、前記切り替え装置（１００）は、前記エミュレータ（６００）をそれぞれ前記プローブの少なくとも１つ（Ｓｉ）に前記少なくとも１つの関連するチャネル（Ｃ）を介して接続し、前記第１及び第２のユニット（４１０、４００）の他方を前記試験アンテナ（３００）に接続し、
−前記試験アンテナ（３００）は、少なくとも１つの信号を前記第１の信号放射ユニット（４００）から前記第２の信号受信ユニット（４１０）へ、前記少なくとも１つのプローブ（Ｓｉ）を通る前記少なくとも１つのチャネル（Ｃ）を介して送ることにより、及び少なくとも前記少なくとも１つのチャネル（Ｃ）の前記複合伝送係数から得られた値に従って計算された補正を前記信号に適用することにより、前記第１の測定位置で試験される。
【００２６】
本発明の一実施形態によると、前記補正は、少なくとも前記少なくとも１つのチャネル（Ｃ）の前記複合伝送係数から得られた値に従って、及び事前に前記装置で測定された送信パラメータに更に従って計算される。
【００２７】
本発明の一実施形態によると、複数のチャネルは、それぞれ、無線周波数信号生成器から来る信号を、電磁放射を放射する複数のプローブのネットワークのプローブへ送信する。この較正装置は、複数のチャネルを相関させ、複数のチャネルの較正を可能にする。複数のチャネルは、それぞれ、無線周波数信号を受信する複数のプローブのネットワークのプローブから来る信号を、無線周波数信号受信機へ送信する。
【００２８】
実施形態において、この装置は次の特徴がある。
【００２９】
−当該装置は、チャネルエミュレータとプローブのネットワークとの間に挿入される。
【００３０】
−当該装置は、スイッチ、分割器及び／又はカプラの組立体を有する。この組立体は、第１の所謂測定位置及び第２の所謂チャネル較正位置を有する。前記第１の所謂測定位置は、前記チャネルエミュレータの第１の種ル欲の少なくとも１つをそれぞれ前記ネットワークのプローブの少なくとも１つに前記少なくとも１つの関連するチャネルを介して接続する可能性、及び前記試験用アンテナが受信アンテナとして動作するとき、前記試験用アンテナを無線周波数信号の受信機に接続する可能性を与える。前記第２の所謂チャネル較正位置では、スイッチ、分割器及び／又はカプラの構成は、前記プローブのネットワークを通過することなく、前記エミュレータの前記第１の出力少なくとも１つを前記受信機の入力に接続する。前記第２の位置は前記第１の位置と異なる。
【００３１】
−前記試験用オブジェクトが無線であるとき、第１の所謂測定位置を有するスイッチ、分割器及び／又はカプラの組立体では、前記チャネルエミュレータの少なくとも１つの第１の出力においてそれぞれ、ネットワークの少なくとも１つのプローブに少なくとも１つの関連するチャネルを介して接続する可能性、及び測定室内に置かれ試験用アンテナとの無線リンクを保証する通信アンテナを無線周波数信号の受信機に、前記試験用オブジェクトの測定中に接続する可能性、前記ネットワークのプローブから信号を受信する可能性を与える。無線周波数信号生成器及び受信機は、ここでは、通常、当業者が無線通信テスタと称するものに対応する。第２の所謂チャネル較正位置を有するスイッチ、分割器及び／又はカプラの組立体の構成は、プローブのネットワークを通過することなく、前記エミュレータの第１の出力の少なくとも１つを前記受信機の入力に接続する可能性を与える。
【００３２】
本発明の実施形態によると、以下の通りである。
【００３３】
−ケーブルを通じて給電され且つ受信機として動作する試験用アンテナでは、第１の所謂測定位置で、スイッチ組立体は、エミュレータの複数の第１の出力をそれぞれ複数のプローブに、複数の関連するチャネルを介して接続し、試験用アンテナを無線周波数信号受信機の入力に接続し、第２の所謂チャネル較正位置で、スイッチ組立体は、プローブのネットワークを通過することなく、エミュレータの複数の第１の出力を分析ユニットの受信入力に接続し、前記第２の位置は前記第１の位置と異なる。
【００３４】
−ケーブルを通じて給電され且つ放射体として動作する試験用アンテナでは、第１の所謂測定位置で、スイッチ組立体は、エミュレータの複数の第１の入力をそれぞれ複数のプローブに、複数の関連するチャネルを介して接続し、試験用アンテナを無線周波数信号生成器の出力に接続し、第２の所謂チャネル較正位置で、スイッチ組立体は、プローブのネットワークを通過することなく、エミュレータの複数の第１の入力を無線周波数信号生成器の出力に接続し、前記第２の位置は前記第１の位置と異なる。
【００３５】
−前記ネットワークのプローブから信号を受信する試験用無線オブジェクトでは、第１の所謂測定位置で、スイッチ組立体は、エミュレータの複数の第１の出力をそれぞれ複数のプローブに、複数の関連するチャネルを介して接続し、測定室内に置かれ試験用オブジェクトとの無線リンクを保証する通信アンテナを無線周波数信号受信機の入力に接続し、第２の所謂チャネル較正位置で、スイッチ組立体は、プローブのネットワークを通過することなく、エミュレータの複数の第１の出力を分析ユニットの受信入力に接続し、前記第２の位置は前記第１の位置と異なる。
【００３６】
−前記ネットワークのプローブへ向けて放射する試験用無線オブジェクトでは、第１の所謂測定位置で、スイッチ組立体は、エミュレータの複数の第１の入力をそれぞれ複数のプローブに、複数の関連するチャネルを介して接続し、測定室内に置かれ試験用オブジェクトとの無線リンクを保証する通信アンテナを無線周波数信号生成器の出力に接続し、第２の所謂チャネル較正位置で、スイッチ組立体は、プローブのネットワークを通過することなく、エミュレータの複数の第１の入力を無線周波数信号生成器の出力に接続し、前記第２の位置は前記第１の位置と異なる。
【００３７】
−較正装置は、前記第１及び第２の位置の両方の間を通し前記第１及び第２の位置のいずれか一方に維持するスイッチ組立体を制御する手段を有する。
【００３８】
−スイッチ組立体は、前記接続を保証するために前記位置を有するスイッチ、分割器及び／又はカプラ及び／又は同様のものを有する。
【００３９】
本発明の一実施形態によると、上述の較正装置により、ＲＦ信号生成器の出力と複数の無線放射プローブのネットワークのプローブの入力までの間のチャネルを較正する方法が提供され、当該方法は以下の特徴がある。
【００４０】
−第２の所謂チャネル較正位置に置かれたスイッチ組立体であって、前記第２のチャネル較正位置では、前記スイッチ組立体は、プローブのネットワークを通過することなく、前記チャネルエミュレータの第１の出力の少なくとも１つを分析ユニットの受信入力に接続する。
【００４１】
−次に、前記チャネルエミュレータを通過する、生成器と無線周波数信号受信機との間の各チャネルの複合伝送係数の値が得られ記録される。
【００４２】
−次に、所謂測定位置に置かれたスイッチ組立体であって、前記測定位置では、前記スイッチ組立体は、前記エミュレータの第１の出力の少なくとも１つを前記プローブの少なくとも１つに前記少なくとも１つの関連するチャネルを介して接続し、前記受信入力を前記試験アンテナに接続する。
【００４３】
−前記試験用アンテナの測定中又は測定後に、スイッチ組立体が第２の所謂チャネル較正位置に置かれたときに記録された伝送係数の複合値から各チャネルについて得られた複合補正が適用される。この補正で、チャネルエミュレータ及び無線周波数信号生成器とネットワークのプローブの入力との間に置かれた能動要素の特性及び変動を含むことにより、特に位相、振幅及びグループ時間の点で、チャネルの特性を均一化することができる。
【００４４】
−最後に、異なるチャネルのこの補正、第２の補正を適用することが可能である。第２の補正の値は、追加で且つチャネルの較正とは完全に独立した方法で実行されたプローブネットワークの較正から得られる。
【図面の簡単な説明】
【００４５】
本発明は、以下の添付の図面を参照した非限定的な例としてのみ与えられる説明を踏まえて一層良好に理解されるだろう。
【図１】本発明による、ケーブルを通じて給電され且つ受信機として動作する試験用アンテナ組立体の測定を実施するためにスイッチ組立体が第１の位置にある、電磁環境を生成するシステムに適用される、チャネルを較正する装置の概略図である。
【図２】本発明の一実施形態による、チャネルを較正するために測定を実施するためにスイッチ組立体が第２の位置にある、図１の較正装置の概略図である。
【図３】本発明の一実施形態による、プローブネットワークから信号を受信する試験用無線オブジェクトの測定を実施するために、スイッチ組立体が第１の位置にある、電磁環境を生成するシステムに適用される、チャネルを較正する装置の概略図である。
【図４】本発明の一実施形態による、チャネルを較正するために測定を実施するためにスイッチ組立体が第２の位置にある、図３の較正装置の概略図である。
【図５】本発明の一実施形態による、極性を生成する追加組立体を通じて給電される双極プローブネットワークから信号を受信する試験用無線オブジェクトの測定を実施するために、スイッチ組立体が第１の位置にある、電磁環境を生成するシステムに適用される、チャネルを較正する装置の概略図である。
【図６】本発明の一実施形態による、双極プローブネットワークから信号を受信する試験用無線オブジェクトの測定を実施するために、スイッチ組立体が第１の位置にある、電磁環境を生成するシステムに適用される、チャネルを較正する装置の概略図である。
【図７】本発明の一実施形態による、チャネルを較正するために測定を実施するためにスイッチ組立体が第２の位置にある、図６の較正装置の概略図である。
【図８】本発明の一実施形態による、双極プローブネットワークへ向けて放射する試験用無線オブジェクトの測定を実施するために、スイッチ組立体が第１の位置にある、電磁環境を生成するシステムに適用される、チャネルを較正する装置の概略図である。
【発明を実施するための形態】
【００４６】
本発明の一実施形態によると、チャネルを較正する装置１００は、試験領域内に置かれた試験用オブジェクト３００を試験するために該試験領域に向けて電磁放射を受信又は放射する少なくとも１つのプローブのネットワーク２００、１又は複数の無線周波数信号を生成する信号生成器４００、１又は複数の無線周波数信号を受信及び分析する信号受信機４１０、並びに信号生成器４００から１又は複数のチャネルＣを通じてネットワーク２００のプローブＳの入力Ｅまで進む無線周波数信号を多重化及び変換するために用いられるチャネルエミュレータを有する。プローブネットワーク２００のプローブＳの数は、２以上である。
【００４７】
各プローブＳは、そのプローブに固有の所定の放射パターンに従って電磁放射を放射できる。プローブＳのネットワークは、例えば、これらの放射パターンの最大が試験領域の中央の方向を指すように向けられる。放射パターンは、それらの関連するプローブに対してそれぞれ固定されている。勿論、プローブＳは、試験領域の中央に向かう以外の任意の方向に放射するよう他の方向に向けられてもよい。
【００４８】
試験領域の中央には、試験用オブジェクト３００が置かれる。試験用オブジェクト３００は、図３乃至８のようなオンボード放射体又は受信機３２０に接続され（これは、携帯電話機又はモバイルコンピュータの場合には試験用無線オブジェクトと称される）、又は図１及び図２のようなケーブル３３０を通じて直接給電され且つスイッチ３４０により選択される（これは、ケーブルを通じて給電される試験用アンテナと称される）、１又は複数のアンテナ３１０を有する。
【００４９】
試験用無線オブジェクト３００の場合には、図３乃至８に示すように補助アンテナ２２の使用が知られている。これは、試験用オブジェクトがプローブから信号を受信するとき（図３、５及び６）、試験用オブジェクトから情報を受信するために、試験用オブジェクトとの通信リンクを確立させるか、又は試験用オブジェクトがプローブへ向けて信号を放射するとき（図８）、試験用オブジェクトへ向けて情報を送る。
【００５０】
各プローブＳは、プローブが単極（単一極性Ｐに従う放射パターンを有する）か双極（２直交極性Ｐに従う放射パターンを有する）かに依存して、１又は複数の入力Ｅを有する。プローブＳは、共通支持体２１０の所定の形状に従って固定される。プローブＳは、試験用オブジェクト３００の周囲を移動可能である。
【００５１】
プローブＳのネットワーク２００は、例えば、円形又は球形の形状を有し、その中心は試験領域の中心と一致する。
【００５２】
一実施形態では、プローブＳのネットワーク２００は、支持体２１０の上に球形の形状を有し、その中心は試験領域の中心と一致する。
【００５３】
別の実施形態では、プローブＳのネットワーク２００は、円筒形支持体２１０の上に位置付けられ、例えば円形の断面の軸は試験領域の中心を通る。
【００５４】
別の実施形態では、図に例として示されたような、プローブＳのネットワーク２００は、垂直面において円形輪状冠の形状をした、中心が試験領域の中心と一致する支持体２１０により運ばれる。
【００５５】
別の実施形態では、プローブＳのネットワーク２００の支持体２１０は、垂直面又は水平面において円弧、例えば準円弧の形状を有し、中心が試験領域の中心と一致する、弧であってもよい。
【００５６】
プローブＳは、例えば、それらの支持体２１０に規則的に、例えば図に示されるように試験領域の中心に対して等角に分布されてもよい。
【００５７】
プローブＳは、無響室内にある。無響室の内壁は、電磁放射の反射を防ぐために、例えば知られているが、頂点が室の内側に向けられた発泡体ピラミッドの形状の電磁吸収体で完全に覆われる。
【００５８】
プローブの支持体２１０は、試験領域の中心を囲む。支持体２１０は、試験用オブジェクト３００を支持するための柱２１を通すために、下に向かって開いていてもよい。
【００５９】
プローブの支持体２１０は、例えば、リングの形状を有する。
【００６０】
プローブの支持体２１０は、例えば、図中で縦である。
【００６１】
プローブの支持体２１０は、水平であってもよく、又は水平及び垂直に対してゼロでない傾きを有してもよい。
【００６２】
プローブの支持体２１０は、互いに独立の且つネットワーク２００のプローブＳ又はプローブＳのグループを支持する種々の支持体に、無響室内で分布され分散されてもよい。
【００６３】
柱２１は、その先端部に機械的２軸位置決め装置を受けることができる。機械的２軸位置決め装置は、支持構成２１０が図１乃至８に示したように垂直面に置かれた円形輪状冠の形状を有する場合に、試験用オブジェクトを試験領域の中心の周りに±９０度だけ傾け、試験用オブジェクトの垂直面（正面）又は水平面（方位面）の両方で試験を実施できるようにする。
【００６４】
各プローブＳの入力Ｅは、図１乃至４に示したような無線周波数信号を伝達するチャネルＣに接続される。したがって、プローブＳは、試験領域へ向けて電磁放射を放射する。この電磁放射は、プローブＳの入力Ｅに現れる無線周波数に対応する。
【００６５】
逆も同様で、プローブは、試験領域に置かれた試験用オブジェクトから放射された電磁信号を受信し、プローブの入力Ｅに接続されたチャネルＣを介して結果として生じた無線周波数信号を送信できる。
【００６６】
双極プローブＳの場合には、直交極性Ｐの各々に対応するプローブの２個の入力Ｅの各々は、通常、図６乃至８に示したように無線周波数信号を伝達するチャネルＣに接続される。
【００６７】
双極プローブの場合には、図５のように、一般に極性生成ユニットと呼ばれるモジュール７００を追加することが可能である。モジュール７００は、チャネルにより伝達された無線周波数信号を分割し、それにより生成された２つの経路の各々を、双極プローブの両入力Ｅにアクセスするために、振幅及び位相において重み付けする可能性を与える。これらの２つの直交極性は、用いられる重み付け係数に従い所与の極性の区別を有する円形極性又は線形極性を与えるために結合される。一実施形態では、極性生成ユニット７００は、例えば、それぞれ双方向分割器７１０、２つの制御可能な可変減衰器７２０及び２つの制御可能な可変位相シフタ７３０を備えた組立体を有する。各組立体は、その入力でチャネルＣに接続され、その２つの出力で双極プローブＳの２つの入力Ｅに接続される。極性生成ユニット７００は、双極プローブＳの場合にチャネルＣの数が２で分割できる経済的な手段である。しかしながら、この場合には、プローブＳの両方の極性は、関連し同時に放射される。これは、プローブの各入力Ｅが独立したチャネルＣに接続されているときには該当しない。
【００６８】
チャネルエミュレータ６００は、信号生成器４００から１又は複数のチャネルＣを通じてネットワーク２００のプローブＳの入力Ｅまで進む無線周波数信号を多重化及び変換するために用いられる。逆も同様であり、チャネルエミュレータ６００は、ネットワーク２００のプローブＳの入力Ｅから１又は複数のチャネルＣを通じて信号受信機４１０まで進む無線周波数信号を多重化及び変換するために用いることができる。チャネルエミュレータ６００は、通常、図１及び３に示したような各プローブＳの各入力Ｅに接続された又は図５に示したような極性生成ユニット７００の各双方向分割器７１０の各入力に接続された各チャネルＣに対応する双方向アクセスＡを有する。双極プローブの場合には、図６及び８に示したように、それぞれプローブＳの２つの入力Ｅの一方に接続された２つのチャネルＣを関連付けることも可能である。したがって、複数のプローブＳ１，．．．，Ｓｉ，．．．，Ｓｎに対して、複数のチャネルＣ１，１，．．．，Ｃｉ，１，．．．，Ｃｎ，１に対応して複数のアクセスＡ１，１，．．．，Ａｉ，１，．．．，Ａｎ，１が提供される。ここで、図１乃至５のようなプローブ当たり１チャネルの場合には、１≦ｉ≦ｎ且つｎ≧２である。
【００６９】
図６乃至８のようなプローブ当たり２個の別個のチャネルの場合には、複数のプローブＳ１，．．．，Ｓｉ，．．．，Ｓｎに対して、複数のアクセスＡ１，１，Ａ１，２．．．，Ａｉ，１，Ａｉ，２．．．，Ａｎ，１，Ａｎ，２及び複数のチャネルＣ１，１，Ｃ１，２．．．，Ｃｉ，１，Ｃｉ，２．．．，Ｃｎ，１，Ｃｎ，２、１≦ｉ≦ｎ且つｎ≧２が提供される。
【００７０】
チャネルエミュレータ６００は、通常、各チャネルＣの信号生成器４００から来る無線周波数信号を変換するデジタル制御可能手段Ｔを有することが知られている。これらの変換手段Ｔは、それぞれ、独立に適用でき、又は例えば各チャネルＣにより伝達される無線周波数信号に対する位相、振幅及びグループ時間の変更には及ばない。したがって、これらの変換手段Ｔにより、各チャネルＣからの無線周波数信号に複雑な較正を独立に適用することが可能である。
【００７１】
電磁環境を生成するシステムの適切な電力平衡を得るために、チャネルエミュレータ６００の各アクセスＡｉ，ｊが無線周波数信号増幅器８１０に接続され得ることが知られている。これらの増幅器８１０は、図１乃至７に示したような増幅ユニットと称されるモジュール８００の一部である。低雑音増幅器８２０の使用は、図８に示したようなプローブネットワークの受信測定構成の場合に、プローブＳから来る無線周波数信号を増幅することも意図している。後者の場合には、双方向増幅ユニット８００を適用することも可能である。図８に示されるように、双方向増幅ユニット８００は、それぞれ頭−尾接合して取り付けられた２つのスイッチ８３０、増幅器８１０及び増幅器８２０を有する組立体を有し、各チャネルＣにより信号生成器４００からプローブＳの入力Ｅへ伝達された無線周波数信号の増幅又はプローブＳの各入力Ｅから来て各チャネルＣにより受信機４１０へ伝達された無線周波数信号の増幅を可能にする。
【００７２】
本発明の一実施形態によると、チャネルを較正する装置１００は、チャネルエミュレータ６００とプローブネットワーク２００との間に、より具体的には増幅ユニット８００と極性生成ユニット７００とが存在する場合にはそれらの間に置かれる。
【００７３】
本発明の一実施形態によると、チャネルを較正する装置１００は、以下を有する。
【００７４】
−チャネルエミュレータ６００のアクセスＡとネットワーク２００のプローブＳの入力Ｅとの間に置かれたスイッチ又はカプラ又は分割器の組立体。より具体的には、例えば、スイッチ１１ｉ，１は、図１乃至８のように、増幅ユニット８００が存在する場合にはそれを通じてチャネルＣｉ，１毎にエミュレータ６００のアクセスＡｉ，１に接続された共通アクセス１１２ｉ，１、図１乃至４及び図６乃至８のようにネットワーク２００のプローブＳｉの入力Ｅｉ，１、又は図５のように極性生成ユニット７００が存在する場合にはそれを通じてプローブＳｉの両入力Ｅｉ，１及びＥｉ，２に接続されたアクセス１１３ｉ，１、並びにスイッチ又は分割器の組立体１２のアクセス１２１ｉ，１に接続されたアクセス１１４ｉ，１を有する。スイッチ１１ｉ，１のスイッチ部１１５ｉ，１の位置は、制御信号１１６ｉ，１により制御され、ある位置では図１、３、５、６及び８のように共通アクセス１１２ｉ，１をアクセス１１３ｉ，１に接続させ、他の位置では図２、４及び７のように共通アクセス１１２ｉ，１をアクセス１１４ｉ，１に接続させる。
【００７５】
−スイッチ又は分割器の組立体１２。これに関して、アクセス１２１がスイッチ又はカプラ又は分割器１１のアクセス１１４に接続され、共通アクセス１２３がスイッチ１３のアクセス１３２に接続される。より具体的には、例えば、スイッチの組立体１２のアクセス１２１ｉ，１は、図１乃至８に示したように、スイッチ１１ｉ，１のアクセス１１４ｉ，１に接続される。組立体１２のスイッチ部の位置は、制御信号１２２により制御され、任意のアクセス１２１ｉ，ｊを共通アクセス１２３に接続させる。
【００７６】
−スイッチ１３。スイッチ１３のアクセス１３２は、スイッチ又は分割器の組立体１２の共通アクセス１２３に接続される。スイッチ１３のアクセス１３３は、試験用アンテナ３１０（図１及び２）又は通信アンテナ２２（図３乃至８）に接続するケーブル２３に接続される。スイッチ１３の共通アクセス１３１は、ネットワーク２００のプローブＳが放射中に動作する測定構成の場合には無線周波数信号受信機４１０に接続し（図１乃至７）、又はネットワーク２００のプローブＳが受信中に動作する測定構成の場合には無線周波数信号生成器４００に接続する（図８）ケーブル４１１に接続される。スイッチ１３のスイッチ部１３４の位置は、制御信号１３５により制御され、ある位置では図１、３、５、６及び８のように共通アクセス１３１をアクセス１３３に接続させ、他の位置では図２、４及び７のように共通アクセス１３１をアクセス１３２に接続させる。
【００７７】
要素１１、１２及び１３は、例えば、同じ物理筐体１０１内で、チャネルを較正するユニット１００にグループ化される。この筐体１０１の異なる物理インタフェースは、スイッチ又は分割器又はカプラ１１の共通アクセス１１２に接続されたコネクタ１０２、スイッチ又は分割器又はカプラ１１のアクセス１１３に接続されたコネクタ１０３、スイッチ１３のアクセス１３３に接続されたコネクタ１０４、及びスイッチ１３の共通アクセス１３１に接続されたコネクタ１０５により実現される。したがって、要素１１、１２及び１３のスイッチ部の異なる位置に依存する筐体１０１の異なるコネクタ間の全ての可能な経路の全ての複合伝送係数（transmission  coefficient）は、電磁環境を生成する手段とは完全に独立に且つ別々に特徴付けられ記録することができ、したがって、各チャネルの補正係数の計算に用いることがでる。一実施形態では、較正は、筐体１０１の出力における壁遷移まで実行される。
【００７８】
本発明の一実施形態によると、チャネルを較正する装置１００の動作は、以下の通りである。
【００７９】
図１、３、５、６及び８に示したチャネルを較正する装置の第１の位置では、装置は、電磁環境を生成するシステムと共に試験用オブジェクト３００を測定するために透過的に用いられる。
【００８０】
この第１の位置では、各チャネルＣｉ，ｊについて、スイッチ１１ｉ，ｊは、スイッチ部１１５ｉ，ｊによりアクセス１１３ｉ，ｊに接続された共通アクセス１１２ｉ，ｊにより、チャネルエミュレータ６００の出力Ａｉ，ｊをネットワーク２００のプローブＳｉの入力Ｅｉ，ｊに接続する。この第１の位置では、スイッチ１３は、試験用アンテナ３１０から又は通信アンテナ２２からのケーブル２３を、図１、３、５及び６の測定構成では無線電気信号４１０の受信機に、図８の測定構成では無線電気信号４００の生成器に、スイッチ部１３４を通じて共通アクセス１３１に接続されたアクセス１３３により接続する。
【００８１】
この第１の位置では、異なるプローブＳｉの入力Ｅｉ，ｊへチャネルＣｉ，ｊを通じて送信された無線周波数信号は、所与の電磁環境のシミュレーションを可能にする。各チャネルＣｉ，ｊの各無線周波数信号は、各プローブＳｉの各入力Ｅｉ，ｊに特有であり、プローブ入力毎に異なり予め定めることがでる。
【００８２】
この第１の位置では、試験用アンテナ３１０（図１）又は通信アンテナ２２（図３、５、６）から来る信号は、スイッチ１３により、無線周波数信号受信機４１０へ向けて切り替えられる。この第１の位置では、ネットワーク２００のプローブＳが受信機として動作する測定構成では（図８）、無線周波数生成器４００からの信号は、スイッチ１３により、通信アンテナ２２又は試験用アンテナ３１０へ向けて切り替えられる。
【００８３】
勿論、第１の位置では、信号チャネルＣｉ，ｊ又はチャネルＣの部分集合は、スイッチ１１により、プローブＳの入力Ｅに切り替えられ、同時に他のチャネルはそれらの関連するプローブ入力に切り替えられなくてもよい。したがって、第１の位置では、少なくとも１つのチャネルＣｉ，ｊは、スイッチ１１ｉ，ｊにより、プローブＳｉの入力Ｅｉ，ｊに切り替えられる。この第１の位置では、少なくとも１つのチャネルＣｉ，ｊ、チャネルＣの１つの部分集合、又は全てのチャネルＣは、スイッチ１１ｉ，ｊ、スイッチ１１の１つの部分集合、又は全てのスイッチ１１により、プローブＳｉの入力Ｅｉ，ｊ、プローブＳの入力Ｅの１つの部分集合、又はプローブＳの全ての入力Ｅに切り替えられる。
【００８４】
図２、４及び７に示した、チャネルを較正する装置１００の第２の位置では、装置１００は、プローブネットワーク２００のプローブＳを通過することなく、及び試験用アンテナ３１０又は通信アンテナ２２を通過することなく、チャネルを較正するための測定を実行するために用いられる。したがって、これは、試験用オブジェクトを測定するために装置１００の第１の位置の前に適用されるステップである。
【００８５】
この第２の位置では、各チャネルＣｉ，ｊについて、スイッチ１１ｉ，ｊは、スイッチ部１１５ｉ，ｊを通じてアクセス１１４ｉ，ｊに接続された共通アクセス１１２ｉ，ｊにより、チャネルエミュレータ６００の出力Ａｉ，ｊをスイッチ又は分割器１２の組立体１２のアクセス１２１ｉ，ｊに接続する。この第２の位置では、スイッチ又は分割器の組立体１２は、アクセス１１４ｉ，ｊに接続されたアクセス１２１ｉ，ｊのうちの選択された１つを共通アクセス１２３に向ける可能性を与える。この第２の位置では、スイッチ１３は、スイッチ部１３４を通じて共通アクセス１３１に接続されたアクセス１３２により、共通アクセス１２３に接続されたアクセス１３２自体を、図２、４及び７の較正の構成のために無線電気信号受信機４１０に接続し、逆も同様に、試験用オブジェクトにより放出される放射を受信するために構成された、プローブネットワーク２００で電磁環境を生成するシステムの適用の場合には、無線電気信号生成器４００に接続する。
【００８６】
この第２の位置では、少なくとも１つのチャネルＣｉ，ｊ、チャネルＣの１つの部分集合、又は全てのチャネルＣは、スイッチ１１ｉ，ｊ、スイッチ１１の１つの部分集合、又は全てのスイッチ１１により、スイッチ又は分割器の組立体１２のアクセス１２１ｉ，ｊ、アクセス１２１の１つの部分集合、又は全てのアクセス１２１に切り替えられる。
【００８７】
アクセス１２１ｉ，ｊがモジュール１２で選択されると、チャネルＣｉ，ｊの無線周波数信号は、共通アクセス１２３へ、次にスイッチ部１３４及び帰路４１１を通じて共通アクセス１３１に接続されたアクセス１３２を介して信号受信機４１０へ向けられる。したがって、この第２の位置は、信号生成器４００から信号受信機４１０までの各チャネルの複合特性の全体を、プローブネットワークを通過することなく測定及び記録することを可能にする。よって、測定された複合値は、各チャネルの補正係数の計算で用いることができる。
【００８８】
代替として、全てのアクセス１２１に現れる全信号は、モジュール１２により多重化された形式で、共通アクセス１２３へ送信される。
【００８９】
制御ユニットは、スイッチ１１及び１３を切り替えるために、制御入力１２２が存在するときはこの制御入力１２２だけでなく、制御入力１１６、１３５以外からの制御を設けられる。マルチプレクサ１２が完全に受動的である場合、制御１２２は存在しない。したがって、第１の位置及び第２の位置の両方の間を通過させるために、チャネル較正装置１００を制御する手段１１６、１３５が供給される。
【００９０】
本発明の一実施形態によると、無線周波数信号生成器４００の出力に対応するプレーンとチャネル較正装置１００を含む筐体１０１のアクセス１０３に対応するプレーンとの間のチャネルを較正する方法は、以下の主なステップを有する。
【００９１】
−アクセスプレーン１０２及び１０３との間の全ての可能な経路及び筐体１０１のアクセスプレーン１０２と１０５との間の全ての可能な経路の全ての複合伝送係数は、要素１１、１２及び１３のスイッチ部の異なる位置に従って測定及び記録される。これらの複合伝送係数は、電磁環境を生成する手段と完全に独立に及び別個に（例えば、工場で）特徴付けられ記録される。これらの複合伝送係数は、システム１の動作周波数範囲で測定される。これらの複合伝送係数の測定は、１年又は複数年程度の非常に離れた時間間隔で繰り返すことができ、従来のマイクロ波周波数測定機器の較正と互換性がある。
【００９２】
装置１００は、第２の所謂チャネル較正位置に置かれる。該第２のチャネル較正位置では、少なくとも１つのチャネルＣｉ，ｊは、プローブネットワーク２００を通過することなく、無線周波数信号受信機４１０の入力に接続され、逆も同様であり、プローブネットワーク２００を通過することなく、無線周波数信号生成器４００の出力に接続される。
【００９３】
−複合伝送係数の値は、チャネルエミュレータ６００と増幅ユニット８００が存在する場合にはそれを通過する間に、無線周波数信号生成器４００の出力に対応するプレーンと無線周波数信号受信機４１０の入力に対応するプレーンとの間の各チャネルＣｉ，ｊについて測定及び記録される。これらの複合伝送係数は、システム１の動作周波数範囲で測定される。これらの複合伝送係数の測定は、チャネルエミュレータ６００の特性及び無線周波数信号生成器４００とチャネル較正システム１００との間に置かれた増幅ユニット８００のような別の能動要素の特性の時間依存変化を考慮に入れるために、近い時間間隔で繰り返されなければならない。これらの時間間隔は、１時間又は数時間程度であってもよい。この測定をチャネルエミュレータの起動及び無線周波数信号生成器４００とチャネル較正システム１００との間に置かれた能動要素の起動の度に行う必要があることがある。
【００９４】
−特に後で測定に用いられる周波数帯にわたって位相、振幅及びグループ時間の点でチャネルＣの応答を均一にするために、前述のステップで測定された複合係数から、各送信チャネルＣｉ，ｊに行われるべき補正の複合値が計算され記録される。これらの補正は、チャネルエミュレータ及び無線周波数信号生成器４００とチャネル較正システム１００との間に置かれた全ての能動要素の特性及び変動（例えば、時間変動、熱変動等）を含む。
【００９５】
−装置１００は、第１の所謂測定位置に置かれる。該第１の測定位置では、少なくとも１つのチャネルＣｉ，ｊはプローブＳｉの入力Ｅｉ，ｊに接続され、試験用アンテナ３１０又は通信アンテナ２２は無線周波数信号受信機４１０の入力に接続される。
【００９６】
−試験用オブジェクト３００の測定中又は測定後に、前述のステップで各チャネルＣｉ，ｊについて計算された複合補正値が適用される。
【００９７】
本発明の実施形態によると、較正装置１００によりチャネルを較正する方法は、チャネルＣを較正する動作をプローブネットワーク２００の較正動作から分離し、以下の可能性を与える。
【００９８】
−チャネルＣの較正及びプローブネットワーク２００の較正を完全に独立にする。したがって、特に位相、振幅、無線電機アクセス、位相中心及びグループ時間に点でプローブの応答を均一化するステップを有するプローブネットワーク２００の較正は、別個に実行されることが分かり、１年程度の時間間隔で非常に正確な技術であり、従来のマイクロ波周波数測定機器の較正と互換性がある。
【００９９】
−各チャネルＣｉ，ｊに補正を適用する。各チャネルＣｉ，ｊについて、プローブネットワークの較正と独立に行われたチャネルＣの較正から複合値が得られる。
【０１００】
−各チャネルＣｉ，ｊに追加補正を適用する。各チャネルＣｉ，ｊについて、チャネルの較正と別個に且つ完全に独立に行われたプローブネットワークの較正から複合値が得られる。
【０１０１】
したがって、本発明による装置は、各チャネルＣｉ，ｊの頻繁な再較正を非常に速く、自動的に且つプローブネットワーク２００と独立に可能にすることにより、チャネルエミュレータ６００の変動及び増幅ユニット８００のような能動要素の変動を補正する可能性を与える。これは、毎回再びプローブを較正しなければならないことを回避するので、チャネルの較正が容易に、速く、非常に正確になる。より頻繁に実行されるチャネルの較正から実行される補正は、電磁環境を生成するシステム１により、時間に渡り更に安定した更に正確な試験用オブジェクト３００の測定を可能にする。この正確さは、プローブの較正と独立になったチャネルの較正が、プローブの較正を実行すること、非常に正確な方法、及び各チャネルＣｉ，ｊについてプローブの応答を均一化するために追加の非常に効率的な補正を各チャネルＣｉ，ｊに適用する可能性を与えることが分かったという事実により、更に増進される。
【０１０２】
したがって、複数のプローブのネットワークを有する電磁環境を生成するシステムの速く、容易で、正確且つ広帯域の較正のための装置及び方法が得られる。
【０１０３】
以上では、生成器は第１の信号放射ユニット（４００）を形成し、受信機は第２の信号受信ユニット（４１０）を形成した。
【図１】
0005881680.tif 000002
【図２】
0005881680.tif 000003
【図３】
0005881680.tif 000004
【図４】
0005881680.tif 000005
【図５】
0005881680.tif 000006
【図６】
0005881680.tif 000007
【図７】
0005881680.tif 000008
【図８】
0005881680.tif 000009